【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な少なくとも第１の可変表示領域及び第２の可変表示領域を含む複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれか１つの可変表示領域に表示結果が導出される前に前記遊技用価値の付与を伴う小役入賞を含む複数種類の入賞について発生を許容するか否かを決定する事前決定手段と、
前記複数の可変表示領域に表示結果を導出させる際に操作される導出操作手段と、
前記導出操作手段が操作されたときに、前記事前決定手段の決定結果に応じて前記可変表示領域に表示結果を導出させる制御を行う手段であって、前記第１の可変表示領域に対応する第１の操作がされたときに、該第１の可変表示領域に表示結果を導出させ、前記第２の可変表示領域に対応する第２の操作がされたときに、該第２の可変表示領域に表示結果を導出させる導出制御手段と、
を備え、
前記事前決定手段は、
第１の小役入賞の発生を許容する旨と、第２の小役入賞の発生を許容する旨と、を同時に決定する第１の同時決定、
第３の小役入賞の発生を許容する旨と、前記第２の小役入賞の発生を許容する旨と、を同時に決定する第２の同時決定、
第４の小役入賞の発生を許容する旨と、第５の小役入賞の発生を許容する旨と、を同時に決定する第３の同時決定、
第６の小役入賞の発生を許容する旨と、前記第５の小役入賞の発生を許容する旨と、を同時に決定する第４の同時決定、
がそれぞれ可能であり、
前記スロットマシンは、
前記第１の同時決定または前記第２の同時決定がなされたときに、前記複数の可変表示領域のいずれも表示結果が導出されていない状態において前記第１の操作がなされた場合には、前記第１の小役入賞、前記第２の小役入賞または前記第３の小役入賞のいずれかを必ず発生させる一方で、前記複数の可変表示領域のいずれも表示結果が導出されていない状態において前記第２の操作がなされた場合には、前記第１の同時決定がなされていれば、第１のタイミングで前記第１の操作がなされた場合にのみ前記第１の小役入賞を発生させ、該第１のタイミング以外で第１の操作がなされた場合にはいずれの入賞も発生させず、前記第２の同時決定がなされていれば、前記第１のタイミングとは異なる第２のタイミングで前記第１の操作がなされた場合にのみ前記第３の小役入賞を発生させ、該第２のタイミング以外で第１の操作がなされた場合にはいずれの入賞も発生させず、
前記第３の同時決定または前記第４の同時決定がなされたときに、前記複数の可変表示領域のいずれも表示結果が導出されていない状態において前記第２の操作がなされた場合には、前記第４の小役入賞、前記第５の小役入賞または前記第６の小役入賞のいずれかを必ず発生させる一方で、前記複数の可変表示領域のいずれも表示結果が導出されていない状態において前記第１の操作がなされた場合には、前記第３の同時決定がなされていれば、第３のタイミングで前記第２の操作がなされた場合にのみ前記第４の小役入賞を発生させ、該第３のタイミング以外で第２の操作がなされた場合にはいずれの入賞も発生させず、前記第４の同時決定がなされていれば、前記第３のタイミングとは異なる第４のタイミングで前記第２の操作がなされた場合にのみ前記第６の小役入賞を発生させ、該第４のタイミング以外で第２の操作がなされた場合にはいずれの入賞も発生させない
ことを特徴とするスロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の図柄を変動表示可能な少なくとも第１の可変表示領域及び第２の可変表示領域を含む複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された前記表示結果の組み合わせに応じて入賞が発生可能とされたスロットマシンであって、
少なくともいずれか１つの可変表示領域に表示結果が導出される前に前記遊技用価値の付与を伴う小役入賞を含む複数種類の入賞について発生を許容するか否かを決定する事前決定手段と、
前記複数の可変表示領域に表示結果を導出させる際に操作される導出操作手段と、
前記導出操作手段が操作されたときに、前記事前決定手段の決定結果に応じて前記可変表示領域に表示結果を導出させる制御を行う手段であって、前記第１の可変表示領域に対応する第１の操作がされたときに、該第１の可変表示領域に表示結果を導出させ、前記第２の可変表示領域に対応する第２の操作がされたときに、該第２の可変表示領域に表示結果を導出させる導出制御手段と、
を備え、
前記事前決定手段は、
第１の小役入賞の発生を許容する旨と、第２の小役入賞の発生を許容する旨と、を同時に決定する第１の同時決定、
第３の小役入賞の発生を許容する旨と、前記第２の小役入賞の発生を許容する旨と、を同時に決定する第２の同時決定、
第４の小役入賞の発生を許容する旨と、第５の小役入賞の発生を許容する旨と、を同時に決定する第３の同時決定、
第６の小役入賞の発生を許容する旨と、前記第５の小役入賞の発生を許容する旨と、を同時に決定する第４の同時決定、
がそれぞれ可能であり、
前記スロットマシンは、
前記第１の同時決定または前記第２の同時決定がなされたときに、前記複数の可変表示領域のいずれも表示結果が導出されていない状態において前記第１の操作がなされた場合には、前記第１の小役入賞、前記第２の小役入賞または前記第３の小役入賞のいずれかを必ず発生させる一方で、前記複数の可変表示領域のいずれも表示結果が導出されていない状態において前記第２の操作がなされた場合には、前記第１の同時決定がなされていれば、第１のタイミングで前記第１の操作がなされた場合にのみ前記第１の小役入賞を発生させ、該第１のタイミング以外で第１の操作がなされた場合にはいずれの入賞も発生させず、前記第２の同時決定がなされていれば、前記第１のタイミングとは異なる第２のタイミングで前記第１の操作がなされた場合にのみ前記第３の小役入賞を発生させ、該第２のタイミング以外で第１の操作がなされた場合にはいずれの入賞も発生させず、
前記第３の同時決定または前記第４の同時決定がなされたときに、前記複数の可変表示領域のいずれも表示結果が導出されていない状態において前記第２の操作がなされた場合には、前記第４の小役入賞、前記第５の小役入賞または前記第６の小役入賞のいずれかを必ず発生させる一方で、前記複数の可変表示領域のいずれも表示結果が導出されていない状態において前記第１の操作がなされた場合には、前記第３の同時決定がなされていれば、第３のタイミングで前記第２の操作がなされた場合にのみ前記第４の小役入賞を発生させ、該第３のタイミング以外で第２の操作がなされた場合にはいずれの入賞も発生させず、前記第４の同時決定がなされていれば、前記第３のタイミングとは異なる第４のタイミングで前記第２の操作がなされた場合にのみ前記第６の小役入賞を発生させ、該第４のタイミング以外で第２の操作がなされた場合にはいずれの入賞も発生させない
ことを特徴としている。
【手続補正３】
【補正対象書類名】明細書
【補正対象項目名】００２２
【補正方法】変更
【補正の内容】
【００２２】
前面扉１ｂの略中央の位置には、液晶表示器５１の表示領域が配置されている。本実施例の液晶表示器５１の表示領域は、リール２Ｌ、２Ｃ、２Ｒの透視窓３よりも大きいサイズに形成されており、リールの表示態様よりも液晶表示器５１に表示された表示態様の方が目立つ構成となっている。液晶表示器５１の前面側（図１においては手前側）には、表示面に対する遊技者からの指示（たとえば、タッチ操作）を検出し、当該位置（たとえば、タッチ操作された位置）を特定するためのタッチパネルを構成する発光装置５６ａ、５６ｂと、受光装置５７ａ、５７ｂと、が設置されている。発光装置５６ａ、５６ｂは、赤外線の発光素子（たとえば、ＬＥＤ）を複数備えている。受光装置５７ａ、５７ｂは、赤外線の受光素子（たとえば、フォトトランジスター）を複数備えている。
【手続補正４】
【補正対象書類名】明細書
【補正対象項目名】００２３
【補正方法】変更
【補正の内容】
【００２３】
発光装置５６ａと受光装置５７ａとは、液晶表示器５１の表示面を挟んで、水平方向に対に設置されている。発光装置５６ａと受光装置５７ａとは、発光装置５６ａが備える複数の発光素子から放射される赤外線を、受光装置５７ａが備える複数の受光素子により受光可能に設置されている。同様に、発光装置５６ｂと受光装置５７ｂとは、液晶表示器５１の表示面を挟んで、垂直方向に対に設置されている。発光装置５６ｂと受光装置５７ｂとは、発光装置５６ｂが備える複数の発光素子から放射される赤外線を、受光装置５７ｂが備える複数の受光素子により受光可能に設置されている。
【手続補正５】
【補正対象書類名】明細書
【補正対象項目名】００４２
【補正方法】変更
【補正の内容】
【００４２】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【手続補正６】
【補正対象書類名】明細書
【補正対象項目名】００５０
【補正方法】変更
【補正の内容】
【００５０】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、日付情報及び時刻情報を含む時間情報を出力する時計装置９７、スロットマシン１に供給される電源電圧を監視し、電圧低下を検出したときに、その旨を示す電圧低下信号をサブ制御部９１に対して出力する電断検出回路９８、受光装置５７ａ、５７ｂからの信号に基づき、液晶表示器５１の表示面に対してタッチ操作された位置を特定する処理などを行うタッチパネルコントローラ９９、その他の回路等、が搭載されており、サブＣＰＵ９１ａは、遊技制御基板４０から送信されるコマンド、タッチパネルコントローラ９９からの出力情報を受けて、演出を行うための各種の制御を行うとともに、演出制御基板９０に搭載された制御回路の各部を直接的または間接的に制御する。
【手続補正７】
【補正対象書類名】明細書
【補正対象項目名】００５７
【補正方法】変更
【補正の内容】
【００５７】
このように各種電子部品と遊技制御基板４０とを、スロットマシン１の本体（本実施例では、筐体１ａ）所定箇所に取り付けた各基板１１０、１２０、１０１、８０を経由して配線接続することで、遊技制御基板４０からスロットマシン１の本体所定箇所に個々に配設される複数の電子部品との配線の取りまとめが容易になるとともに、コネクタ接続部が常に中継基板または遊技制御基板４０に設けられることになり、これにより各電子部品それぞれのコネクタ接続部が固定されるため、配線接続作業時においてコネクタ接続部を探したり、接続する配線の種類を間違うこと等が防止される。
【手続補正８】
【補正対象書類名】明細書
【補正対象項目名】００６６
【補正方法】変更
【補正の内容】
【００６６】
また、本実施例では、ゲームの進行に応じて遊技制御基板４０に対して信号を入力する第１の電子部品５、６、７、８Ｌ、８Ｃ、８Ｒ、３１、３３Ｌ、３３Ｃ、３３Ｒ、３４ｃ及びゲームの進行に応じて遊技制御基板４０から信号が出力される第２の電子部品３２Ｌ、３２Ｃ、３２Ｒ、３４ｂのうち、投入メダルセンサ３１と遊技制御基板４０との間のコネクタ接続のみコネクタ規制部材を設けてコネクタ同士の接続の解除を規制している。すなわちその信号がなければ遊技を進行させることができない投入メダルセンサ３１（投入メダルセンサ３１からの信号が入力されなければ賭数を設定できずゲームを開始することが不可能となる）と遊技制御基板４０との間のコネクタ接続のみコネクタ規制部材を設けてコネクタ同士の接続の解除を規制しており、他の電子部品と遊技制御基板４０との間でコネクタ同士の接続を解除して打ち込み器具のコネクタに差し替えた場合でも、実質的に遊技を自動的に進行させることができなくなるため、最小限の規制で不正行為を防止することが可能となり、これらコネクタ同士の接続を解除するための部品点数を減らすことができる。
【手続補正９】
【補正対象書類名】明細書
【補正対象項目名】０１７４
【補正方法】変更
【補正の内容】
【０１７４】
操作検出コマンドは、１枚ＢＥＴスイッチ５、ＭＡＸＢＥＴスイッチ６、スタートスイッチ７、ストップスイッチ８Ｌ、８Ｃ、８Ｒ、精算スイッチ１０の検出状態、すなわちＯＮ／ＯＦＦ、これらスイッチが遊技の進行上有効な状態であるか、無効な状態であるか（１枚ＢＥＴスイッチ５、ＭＡＸＢＥＴスイッチ６の操作の受付は、賭数の設定が可能な状態で、かつ規定数の賭数が未だ設定されておらず、さらにクレジットが残っている状態で有効となりそれ以外では無効となる。スタートスイッチ７の操作の受付は、規定数の賭数が設定された後、スタートスイッチ７が操作されるまで有効となり、それ以外では無効となる。ストップスイッチ８Ｌ、８Ｃ、８Ｒの操作の受付は、リールが定速回転となり、リールの停止準備ができた後、それぞれの停止操作が検出されるまで有効となり、それ以外では無効となる。精算スイッチ１０は、ゲーム終了後、次ゲームが開始されるまでの期間においてクレジットが残存するか、賭数が設定されている場合に有効となり、それ以外は無効となる。）、を示すコマンドであり、これらスイッチの検出状態が変化したときに、その操作の受付が遊技の進行上、有効な期間であるか、無効な期間であるか、に関わらず送信される。
【手続補正１０】
【補正対象書類名】明細書
【補正対象項目名】０１７５
【補正方法】変更
【補正の内容】
【０１７５】
これらコマンドのうちドアコマンド及び操作検出コマンドを除くコマンドは、後述する起動処理及びゲーム処理において生成され、ＲＡＭ４１ｃの特別ワークに設けられた通常コマンド送信用バッファに一時格納され、前述したタイマ割込処理（メイン）において送信される。
【手続補正１１】
【補正対象書類名】明細書
【補正対象項目名】０２８４
【補正方法】変更
【補正の内容】
【０２８４】
これに対して本実施例のサブＣＰＵ９１ａは、タッチパネルの動作チェックを指定する検査コマンドを受信して、タッチパネルの動作チェックを行う場合には、コマンド受信割込処理を、タッチ操作が検出されるまでの間禁止し、この間は、新たなコマンドを受信しないようになっており、この間に新たなコマンドが送信された場合でも、タッチ操作が検出され、動作チェックが完了するまでは、新たなコマンドは受信されず、当該コマンドに基づく処理が行われないようになっている。このため、タッチパネルの動作チェックの完了を待たずに誤って検査コマンドを送信した場合にも、タッチパネルの動作チェックの検査を正常に行うことができる。
【手続補正１２】
【補正対象書類名】明細書
【補正対象項目名】０２８５
【補正方法】変更
【補正の内容】
【０２８５】
また、サブＣＰＵ９１ａは、タッチパネルの動作チェックを指定する検査コマンドを受信した後、タッチ操作が検出されるまでの間は、コマンド受信割り込み処理が禁止されるのみならず、受信用バッファに格納されているコマンドの読み出しも行わないようになっており、既にコマンドを受信し、受信したコマンドが受信用バッファに格納されている場合であっても、タッチ操作が検出され、動作チェックが完了するまでは、受信用バッファに格納されているコマンドに基づく処理も行われないようになっている。このため、タッチパネルの動作チェックを指定する検査コマンドと連続して他の検査コマンドが送信された場合にも、タッチパネルの動作チェックの検査を正常に行うことができる。
【手続補正１３】
【補正対象書類名】明細書
【補正対象項目名】０２８６
【補正方法】変更
【補正の内容】
【０２８６】
尚、本実施例では、演出操作手段としてタッチパネルを適用しているが、タッチパネル以外の演出操作手段、例えば、ボタンやダイアルなどを適用しても良く、タッチパネル以外の演出操作手段以外の動作チェックを行う場合にも、上記と同様に演出操作手段の操作が検出されるまでコマンドの受信を禁止することで、動作チェックの完了を待たずに誤って検査コマンドを送信した場合にも、動作チェックの検査を正常に行うことができるし、演出操作手段の操作が検出されるまで受信用バッファに格納されているコマンドの読み出しを行わないことで、動作チェックを指定する検査コマンドと連続して他の検査コマンドが送信された場合にも、動作チェックの検査を正常に行うことができる。
【手続補正１４】
【補正対象書類名】明細書
【補正対象項目名】０３３０
【補正方法】変更
【補正の内容】
【０３３０】
小役ＧＲ（１）（小役ＧＲ（２）／（３）／（４））が当選し、左リールを第１停止とした場合には、入賞ラインＬ上に最大４コマの引込範囲で１５枚（１）を構成する「黒７」（１５枚（２）を構成する「網７」／１５枚（３）を構成する「白７」／１５枚（４）を構成する「ＢＡＲ」）及び１４枚（１）を構成する「ベル」のうち「黒７」（「網７」／「白７」／「ＢＡＲ」）を停止させることができる場合には、入賞ラインＬ上に「黒７」（「網７」／「白７」／「ＢＡＲ」）を停止させ、入賞ラインＬ上に最大４コマの引込範囲で「黒７」（「網７」／「白７」／「ＢＡＲ」）を停止させることができない場合には、「ベル」を停止させる制御を行う。図３に示すように、「黒７」（「網７」／「白７」／「ＢＡＲ」）は左リールにおいて４コマを超える間隔を空けて配置されているため、停止させることができない場合もあるが、「ベル」は、左リールにおいて４コマ以内の間隔で配置されているため、小役ＧＲ（１）（小役ＧＲ（２）／（３）／（４））が当選し、左リールを第１停止とした場合には、左リールの入賞ラインＬに１５枚（１）を構成する「黒７」（１５枚（２）を構成する「網７」／１５枚（３）を構成する「白７」／１５枚（４）を構成する「ＢＡＲ」）または１４枚（１）を構成する「ベル」が必ず停止することとなる。
【手続補正１５】
【補正対象書類名】明細書
【補正対象項目名】０３３３
【補正方法】変更
【補正の内容】
【０３３３】
次いで、小役ＧＲ（１）（小役ＧＲ（２）／（３）／（４））が当選し、中リールまたは右リールの入賞ラインＬに１５枚（１）（１５枚（２）／（３）／（４））を構成する「ベル」が停止している状態で、左リールの停止操作がなされた場合には、入賞ラインＬ上に最大４コマの引込範囲で１５枚（１）を構成する「黒７」（１５枚（２）を構成する「網７」／１５枚（３）を構成する「白７」／１５枚（４）を構成する「ＢＡＲ」）を停止させることができる場合には、入賞ラインＬ上に「黒７」（「網７」／「白７」／「ＢＡＲ」）を停止させ、入賞ラインＬ上に最大４コマの引込範囲で「黒７」（「網７」／「白７」／「ＢＡＲ」）を停止させることができない場合には、いずれの役も入賞ラインＬに揃わない図柄を停止させる制御を行う。「黒７」（「網７」／「白７」／「ＢＡＲ」）は左リールにおいて４コマを超える間隔を空けて配置されているため、小役ＧＲ（１）（小役ＧＲ（２）／（３）／（４））が当選し、中リールまたは右リールの入賞ラインＬに１５枚（１）（１５枚（２）／（３）／（４））を構成する「ベル」が停止している状態で、左リールの停止操作がなされた場合には、１５枚（１）を構成する「黒７」（１５枚（２）を構成する「網７」／１５枚（３）を構成する「白７」／１５枚（４）を構成する「ＢＡＲ」）の引込範囲で停止操作がなされた場合のみ、１５枚（１）を構成する「黒７」（１５枚（２）を構成する「網７」／１５枚（３）を構成する「白７」／１５枚（４）を構成する「ＢＡＲ」）が左リールの入賞ラインＬに停止することとなる。すなわち小役ＧＲ（１）（小役ＧＲ（２）／（３）／（４））が当選し、中リールまたは右リールの入賞ラインＬに１５枚（１）（１５枚（２）／（３）／（４））を構成する「ベル」が停止している状態で、左リールの停止操作がなされた場合には、左リールの停止操作がなされたタイミングが「黒７」の引込範囲であることを条件に、１５枚（１）（１５枚（２）／（３）／（４））が入賞し、左リールの停止操作がなされたタイミングが「黒７」（「網７」／「白７」／「ＢＡＲ」）の引込範囲外であれば、いずれの役も入賞することがない（尚、特別役が持ち越されている場合を除く）。
【手続補正１６】
【補正対象書類名】明細書
【補正対象項目名】０３３４
【補正方法】変更
【補正の内容】
【０３３４】
小役ＧＲ（５）（小役ＧＲ（６）／（７）／（８））が当選し、中リールを第１停止とした場合には、入賞ラインＬ上に最大４コマの引込範囲で１５枚（５）を構成する「黒７」（１５枚（６）を構成する「網７」／１５枚（７）を構成する「白７」／１５枚（８）を構成する「ＢＡＲ」）及び１４枚（２）を構成する「ベル」のうち「黒７」（「網７」／「白７」／「ＢＡＲ」）を停止させることができる場合には、入賞ラインＬ上に「黒７」（「網７」／「白７」／「ＢＡＲ」）を停止させ、入賞ラインＬ上に最大４コマの引込範囲で「黒７」（「網７」／「白７」／「ＢＡＲ」）を停止させることができない場合には、「ベル」を停止させる制御を行う。図３に示すように、「黒７」（「網７」／「白７」／「ＢＡＲ」）は中リールにおいて４コマを超える間隔を空けて配置されているため、停止させることができない場合もあるが、「ベル」は、中リールにおいて４コマ以内の間隔で配置されているため、小役ＧＲ（５）（小役ＧＲ（６）／（７）／（８））が当選し、中リールを第１停止とした場合には、中リールの入賞ラインＬに１５枚（５）を構成する「黒７」（１５枚（６）を構成する「網７」／１５枚（７）を構成する「白７」／１５枚（８）を構成する「ＢＡＲ」）または１４枚（２）を構成する「ベル」が必ず停止することとなる。
【手続補正１７】
【補正対象書類名】明細書
【補正対象項目名】０３３７
【補正方法】変更
【補正の内容】
【０３３７】
次いで、小役ＧＲ（５）（小役ＧＲ（６）／（７）／（８））が当選し、左リールまたは右リールの入賞ラインＬに１５枚（５）（１５枚（６）／（７）／（８））を構成する「ベル」が停止している状態で、中リールの停止操作がなされた場合には、入賞ラインＬ上に最大４コマの引込範囲で１５枚（５）を構成する「黒７」（１５枚（６）を構成する「網７」／１５枚（７）を構成する「白７」／１５枚（８）を構成する「ＢＡＲ」）を停止させることができる場合には、入賞ラインＬ上に「黒７」（「網７」／「白７」／「ＢＡＲ」）を停止させ、入賞ラインＬ上に最大４コマの引込範囲で「黒７」（「網７」／「白７」／「ＢＡＲ」）を停止させることができない場合には、いずれの役も入賞ラインＬに揃わない図柄を停止させる制御を行う。「黒７」（「網７」／「白７」／「ＢＡＲ」）は中リールにおいて４コマを超える間隔を空けて配置されているため、小役ＧＲ（５）（小役ＧＲ（６）／（７）／（８））が当選し、左リールまたは右リールの入賞ラインＬに１５枚（５）（１５枚（６）／（７）／（８））を構成する「ベル」が停止している状態で、中リールの停止操作がなされた場合には、１５枚（５）を構成する「黒７」（１５枚（６）を構成する「網７」／１５枚（７）を構成する「白７」／１５枚（８）を構成する「ＢＡＲ」）の引込範囲で停止操作がなされた場合のみ、１５枚（５）を構成する「黒７」（１５枚（６）を構成する「網７」／１５枚（７）を構成する「白７」／１５枚（８）を構成する「ＢＡＲ」）が中リールの入賞ラインＬに停止することとなる。すなわち小役ＧＲ（５）（小役ＧＲ（６）／（７）／（８））が当選し、左リールまたは右リールの入賞ラインＬに１５枚（５）（１５枚（６）／（７）／（８））を構成する「ベル」が停止している状態で、中リールの停止操作がなされた場合には、中リールの停止操作がなされたタイミングが「黒７」の引込範囲であることを条件に、１５枚（５）（１５枚（６）／（７）／（８））が入賞し、中リールの停止操作がなされたタイミングが「黒７」（「網７」／「白７」／「ＢＡＲ」）の引込範囲外であれば、いずれの役も入賞することがない（尚、特別役が持ち越されている場合を除く）。
【手続補正１８】
【補正対象書類名】明細書
【補正対象項目名】０３３８
【補正方法】変更
【補正の内容】
【０３３８】
小役ＧＲ（９）（小役ＧＲ（１０）／（１１）／（１２））が当選し、右リールを第１停止とした場合には、入賞ラインＬ上に最大４コマの引込範囲で１５枚（９）を構成する「黒７」（１５枚（１０）を構成する「網７」／１５枚（１１）を構成する「白７」／１５枚（１２）を構成する「ＢＡＲ」）及び１４枚（３）を構成する「ベル」のうち「黒７」（「網７」／「白７」／「ＢＡＲ」）を停止させることができる場合には、入賞ラインＬ上に「黒７」（「網７」／「白７」／「ＢＡＲ」）を停止させ、入賞ラインＬ上に最大４コマの引込範囲で「黒７」（「網７」／「白７」／「ＢＡＲ」）を停止させることができない場合には、「ベル」を停止させる制御を行う。図３に示すように、「黒７」（「網７」／「白７」／「ＢＡＲ」）は右リールにおいて４コマを超える間隔を空けて配置されているため、停止させることができない場合もあるが、「ベル」は、右リールにおいて４コマ以内の間隔で配置されているため、小役ＧＲ（９）（小役ＧＲ（１０）／（１１）／（１２））が当選し、右リールを第１停止とした場合には、右リールの入賞ラインＬに１５枚（９）を構成する「黒７」（１５枚（１０）を構成する「網７」／１５枚（１１）を構成する「白７」／１５枚（１２）を構成する「ＢＡＲ」）または１４枚（３）を構成する「ベル」が必ず停止することとなる。
【手続補正１９】
【補正対象書類名】明細書
【補正対象項目名】０３４１
【補正方法】変更
【補正の内容】
【０３４１】
次いで、小役ＧＲ（９）（小役ＧＲ（１０）／（１１）／（１２））が当選し、左リールまたは中リールの入賞ラインＬに１５枚（９）（１５枚（１０）／（１１）／（１２））を構成する「ベル」が停止している状態で、右リールの停止操作がなされた場合には、入賞ラインＬ上に最大４コマの引込範囲で１５枚（９）を構成する「黒７」（１５枚（１０）を構成する「網７」／１５枚（１１）を構成する「白７」／１５枚（１２）を構成する「ＢＡＲ」）を停止させることができる場合には、入賞ラインＬ上に「黒７」（「網７」／「白７」／「ＢＡＲ」）を停止させ、入賞ラインＬ上に最大４コマの引込範囲で「黒７」（「網７」／「白７」／「ＢＡＲ」）を停止させることができない場合には、いずれの役も入賞ラインＬに揃わない図柄を停止させる制御を行う。「黒７」（「網７」／「白７」／「ＢＡＲ」）は右リールにおいて４コマを超える間隔を空けて配置されているため、小役ＧＲ（９）（小役ＧＲ（１０）／（１１）／（１２））が当選し、左リールまたは中リールの入賞ラインＬに１５枚（９）（１５枚（１０）／（１１）／（１２））を構成する「ベル」が停止している状態で、右リールの停止操作がなされた場合には、１５枚（９）を構成する「黒７」（１５枚（１０）を構成する「網７」／１５枚（１１）を構成する「白７」／１５枚（１２）を構成する「ＢＡＲ」）の引込範囲で停止操作がなされた場合のみ、１５枚（９）を構成する「黒７」（１５枚（１０）を構成する「網７」／１５枚（１１）を構成する「白７」／１５枚（１２）を構成する「ＢＡＲ」）が右リールの入賞ラインＬに停止することとなる。すなわち小役ＧＲ（９）（小役ＧＲ（１０）／（１１）／（１２））が当選し、左リールまたは右リールの入賞ラインＬに１５枚（９）（１５枚（１０）／（１１）／（１２））を構成する「ベル」が停止している状態で、右リールの停止操作がなされた場合には、右リールの停止操作がなされたタイミングが「黒７」の引込範囲であることを条件に、１５枚（９）（１５枚（１０）／（１１）／（１２））が入賞し、右リールの停止操作がなされたタイミングが「黒７」（「網７」／「白７」／「ＢＡＲ」）の引込範囲外であれば、いずれの役も入賞することがない（尚、特別役が持ち越されている場合を除く）。
【手続補正２０】
【補正対象書類名】明細書
【補正対象項目名】０３４５
【補正方法】変更
【補正の内容】
【０３４５】
図３に示すように「黒７」「網７」「白７」「ＢＡＲ」は、全てのリールにおいてそれぞれ４コマを超える間隔で配置されており、意図的に入賞ラインＬに停止させることはできないので、小役ＧＲ（１）〜（４）が当選し、左リールを第１停止とした場合、小役ＧＲ（５）〜（８）が当選し、中リールを第１停止とした場合、小役ＧＲ（９）〜（１２）が当選し、右リールを第１停止とした場合には、それぞれ、５／２１（「黒７」「網７」「白７」「ＢＡＲ」の引込可能な停止操作位置／停止操作位置の総数）の割合で１５枚（１）〜（１２）が入賞し、１６／２１（「黒７」「網７」「白７」「ＢＡＲ」の引込不可能な停止操作位置／停止操作位置の総数）で１４枚（１）〜（３）が入賞するため、この場合の払出期待値（１５×５／２１＋１４×１６／２１）は、約１４．２４枚となる。一方、小役ＧＲ（１）〜（４）が当選し、左リール以外のリールを第１停止とした場合、小役ＧＲ（５）〜（８）が当選し、中リール以外のリールを第１停止とした場合、小役ＧＲ（９）〜（１２）が当選し、右リール以外のリールを第１停止とした場合には、５／２１の割合で１５枚（１）〜（４）を入賞させることができるが、１６／２１の割合でいずれの小役も入賞させることができないため、この場合の払出期待値（１５×５／２１）は、約３．５７枚となる。